(57)【要約】【課題】中継機器の無線信号を発信する能力に応じた処理を、人為的な作業を増大させることなく行えるようにする。【解決手段】レピータ保守システム１は、ホスト装置１０と、基地局から受信した無線信号を増幅して発信するレピータ３０と、レピータ３０を監視する監視機器２０とを備える。監視機器２０は、レピータ３０が発信した無線信号を受信する位置に配置される。ホスト装置１０が送信したコマンドに応じて、監視機器２０は、レピータ３０に通電し、増幅した無線信号を発信させた状態で、無線信号のレベルを測定する。次に、監視機器２０は、レピータ３０への通電を遮断し、無線信号を発信させない状態で、無線信号のレベルを測定する。監視機器２０は、測定したレベルをホスト装置１０へ出力する。ホスト装置１０は、測定された２つのレベルの差が閾値以下である場合に、レピータ３０に異常が生じたと判定する。【選択図】図１
2018007009.tif 000002
【特許請求の範囲】
【請求項１】
基地局から受信した無線信号を増幅して発信する中継機器から、当該中継機器が発信した無線信号を受信する監視機器と、
前記中継機器を、前記増幅した無線信号を発信する第１状態と、前記増幅した無線信号の発信を停止する第２状態とに相互に切り替える切替部と、
前記監視機器が受信した無線信号のレベルを測定する測定部であって、前記第１状態のときの第１レベル、及び前記第２状態のときの第２レベルを測定する測定部と、
測定された前記第１レベルと、前記第２レベルとに基づいて、前記中継機器の無線信号を発信する能力に応じた処理を行う処理部と
を備える情報処理システム。
【請求項２】
前記処理部は、
前記第１レベルと前記第２レベルとの差が第１閾値以下である場合には、前記中継機器に異常がある旨を通知する
ことを特徴とする請求項１に記載の情報処理システム。
【請求項３】
複数の前記監視機器の各々に対して、前記第１レベルの測定を指示する第１コマンドを生成し、更に、前記第１レベルが第２閾値以下であった前記監視機器に対して、前記第２レベルの測定を指示する第２コマンドを生成するコマンド生成部を備え、
前記測定部は、
前記第１コマンドに応じて前記第１レベルを測定し、前記第２コマンドに応じて少なくとも前記第２レベルを測定する
ことを特徴とする請求項１又は請求項２に記載の情報処理システム。
【請求項４】
前記処理部は、
前記第２レベルが第３閾値以下である場合に、少なくとも前記第１レベルを用いて、前記基地局からの無線信号の受信環境を判定する
ことを特徴とする請求項１に記載の情報処理システム。
【請求項５】
前記処理部は、
複数の前記中継機器の各々の位置と、複数の前記中継機器の各々について測定された前記第１レベル、及び前記第２レベルとに基づいて、前記受信環境が良好又は不良な位置を判定する
ことを特徴とする請求項４に記載の情報処理システム。
【請求項６】
前記処理部は、
前記第１レベルと前記第２レベルとの差が第４閾値以下である場合に、前記受信環境が不良と判定する
ことを特徴とする請求項４又は請求項５に記載の情報処理システム。
【請求項７】
前記処理部は、
前記第１レベルが第５閾値以下である場合に、前記受信環境が不良と判定する
ことを特徴とする請求項４又は請求項５に記載の情報処理システム。
【請求項８】
基地局から受信した無線信号を増幅して発信する中継機器に電力を供給する供給部と、
前記中継機器を、前記増幅した無線信号を発信する第１状態と、前記増幅した無線信号の発信を停止する第２状態とに相互に切り替える切替部と、
前記中継機器から、当該中継機器が発信した無線信号を受信する受信部と、
前記受信部が受信した無線信号のレベルを測定する測定部であって、前記第１状態のときの第１レベル、及び前記第２状態のときの第２レベルを測定する測定部と、
測定された前記第１レベル、及び前記第２レベル、又は前記第１レベル、及び前記第２レベルに応じた前記中継機器の無線信号を発信する能力に関する情報を出力する出力部と
を備える監視機器。
【請求項９】
請求項８に記載の監視機器から、前記第１レベル、及び前記第２レベル、又は前記能力に関する情報を取得する取得部と、
取得された前記第１レベル、及び前記第２レベル、又は前記能力に関する情報に基づいて、前記能力に応じた処理を行う処理部と
を備える情報処理装置。
【発明の詳細な説明】
【技術分野】
【０００１】
本発明は、基地局からの無線信号を増幅して発信する中継機器の当該無線信号を発信する能力に応じた処理を行う技術に関する。
【背景技術】
【０００２】
基地局からの無線信号（電波）の受信環境を改善するため、レピータと呼ばれる中継機器が用いられることがある。この中継機器は、基地局から受信した無線信号を増幅して、発信する。このような中継機器の無線信号を発信する能力（効力）が低下した場合、例えば中継機器に故障等の異常が生じた場合、ユーザは、無線通信サービスを利用できなくなる可能性がある。また、飲食店等の店舗では、その店舗を訪れた客が無線通信サービスのユーザとなる。この場合、ユーザが、中継機器の異常に気付くことは困難である。このため、中継機器に異常が生じても、誰に気付かれることなくその異常が埋没してしまう可能性がある。
【０００３】
中継機器の異常が原因であることが速やかに特定されれば、ユーザの不便は軽減される。しかし、そのような異常を通信事業者が速やかに把握することは容易ではない。中継機器の保守を定期的に行う方法があるが、流通する中継機器の数が増大した場合、その保守に係る作業負担は大きくなってしまう。
【０００４】
これに対し、特許文献１には、レピータにおいて、増幅系で増幅された信号のレベルと、増幅系で増幅されていない信号のレベルとの差異に基づいて、増幅系の故障の有無を判定することが記載されている。特許文献２には、無線基地局が、通信回線を介して接続された上位監視装置からの遠隔操作命令に従って、自己の増幅器における制御異常の有無を診断し、診断結果を上位監視装置へ送信することが記載されている。特許文献１，２に記載の技術によれば、人為的な作業負担は軽減される。特許文献３には、レピータが、自己が属する無線基地局を識別するセルＩＤを取得して、保守サービスセンタ局に通知することが記載されている。
【先行技術文献】
【特許文献】
【０００５】
【特許文献１】特開平０８−２９３８４３号公報
【特許文献２】特開２００４−１２９１０９号公報
【特許文献３】特開２００１−２４４８７６号公報
【発明の概要】
【発明が解決しようとする課題】
【０００６】
特許文献１，２に記載の技術では、中継機器が現に発信する無線信号を監視しているわけではない。特許文献３に記載の技術では、レピータの故障を自動で検知することはできない。このように、特許文献１から３に記載の技術では、中継機器の無線信号を発信する能力を、人為的な作業の負担を少なくして把握することはできない。
これに対し、本発明は、中継機器の無線信号を発信する能力に応じた処理を、人為的な作業を増大させることなく行えるようにすることを目的とする。
【課題を解決するための手段】
【０００７】
上述した課題を解決するため、本発明の情報処理システムは、基地局から受信した無線信号を増幅して発信する中継機器から、当該中継機器が発信した無線信号を受信する監視機器と、前記中継機器を、前記増幅した無線信号を発信する第１状態と、前記増幅した無線信号の発信を停止する第２状態とに相互に切り替える切替部と、前記監視機器が受信した無線信号のレベルを測定する測定部であって、前記第１状態のときの第１レベル、及び前記第２状態のときの第２レベルを測定する測定部と、測定された前記第１レベルと、前記第２レベルとに基づいて、前記中継機器の無線信号を発信する能力に応じた処理を行う処理部とを備える。
本発明の情報処理システムにおいて、前記処理部は、前記第１レベルと前記第２レベルとの差が第１閾値以下である場合には、前記中継機器に異常がある旨を通知してもよい。
更に、複数の前記監視機器の各々に対して、前記第１レベルの測定を指示する第１コマンドを生成し、更に、前記第１レベルが第２閾値以下であった前記監視機器に対して、前記第２レベルの測定を指示する第２コマンドを生成するコマンド生成部を備え、前記測定部は、前記第１コマンドに応じて前記第１レベルを測定し、前記第２コマンドに応じて少なくとも前記第２レベルを測定してもよい。
【０００８】
本発明の情報処理システムにおいて、前記処理部は、前記第２レベルが第３閾値以下である場合に、少なくとも前記第１レベルを用いて、前記基地局からの無線信号の受信環境を判定してもよい。
この情報処理システムにおいて、前記処理部は、複数の前記中継機器の各々の位置と、複数の前記中継機器の各々について測定された前記第１レベル、及び前記第２レベルとに基づいて、前記受信環境が良好又は不良な位置を判定してもよい。
更に、前記処理部は、前記第１レベルと前記第２レベルとの差が第４閾値以下である場合に、前記受信環境が不良と判定してもよい。或いは、前記処理部は、前記第１レベルが第５閾値以下である場合に、前記受信環境が不良と判定してもよい。
【０００９】
本発明の監視機器は、基地局から受信した無線信号を増幅して発信する中継機器に電力を供給する供給部と、前記中継機器を、前記増幅した無線信号を発信する第１状態と、前記増幅した無線信号の発信を停止する第２状態とに相互に切り替える切替部と、前記中継機器から、当該中継機器が発信した無線信号を受信する受信部と、前記受信部が受信した無線信号のレベルを測定する測定部であって、前記第１状態のときの第１レベル、及び前記第２状態のときの第２レベルを測定する測定部と、測定された前記第１レベル、及び前記第２レベル、又は前記第１レベル、及び前記第２レベルに応じた前記中継機器の無線信号を発信する能力に関する情報を出力する出力部とを備える。
【００１０】
本発明の情報処理装置は、上記監視機器から、前記第１レベル、及び前記第２レベル、又は前記能力に関する情報を取得する取得部と、取得された前記第１レベル、及び前記第２レベル、又は前記能力に関する情報に基づいて、前記能力に応じた処理を行う処理部とを備える。
【発明の効果】
【００１１】
本発明によれば、中継機器の無線信号を発信する能力に応じた処理を、人為的な作業を増大させることなく行えるようにすることができる。
【図面の簡単な説明】
【００１２】
【図１】本発明の第１実施形態に係るレピータ保守システムの全体構成を示す図。
【図２】同実施形態に係るレピータ保守システムの各装置の構成を示すブロック図。
【図３】同実施形態に係るレピータ保守システムで実行される処理を示すシーケンス図。
【図４】図３に続く処理を示すシーケンス図。
【図５】同実施形態に係るホスト装置における異常判定の説明図。
【図６】本発明の第２実施形態に係る受信環境管理システムの概要の説明図。
【図７】同実施形態に係る受信環境管理システムの各装置の構成を示すブロック図。
【図８】同実施形態に係る受信環境管理システムで実行される処理を示すシーケンス図。
【図９】図８に続く処理を示すシーケンス図。
【図１０】同実施形態に係るホスト装置が生成するマップの説明図。
【図１１】同実施形態の変形例に係るホスト装置における異常判定の説明図。
【発明を実施するための形態】
【００１３】
［発明の概要］
本発明の情報処理システムは、中継機器の無線信号を発信する能力（以下、「中継機器の能力」と称することがある。）に応じた処理を実行するシステムである。以下で説明する実施形態において、その能力は、中継機器が発信する無線信号のレベルによって把握される。第１実施形態のレピータ保守システムでは、レピータの異常の有無に応じて変化する能力が把握される。第２実施形態の受信環境管理システムでは、レピータにおける基地局からの無線信号の受信環境に応じて変化する能力が把握される。
【００１４】
［第１実施形態］
＜構成＞
図１は、第１実施形態に係るレピータ保守システム１の全体構成を示す図である。レピータ保守システム１は、レピータの保守を支援するシステムである。レピータ保守システム１は、１台のホスト装置１０と、複数台の監視機器２０と、複数台のレピータ３０と、１台のコンピュータ装置４０とを備える。ただし、これら各装置の台数は、一例に過ぎない。図１には、通信回線ＮＷに接続する基地局として、基地局ＢＳ１，ＢＳ２，ＢＳ３のみが示されているが、実際にはより多数存在する。基地局の各々を特に区別する必要のないときは、「基地局ＢＳ」と総称する。
【００１５】
ホスト装置１０は、複数台のレピータ３０の各々の能力を把握するためのデータを収集する。そして、ホスト装置１０は、複数台のレピータ３０の各々の異常の有無を判定する。ホスト装置１０は、例えば、ユーザにレピータ３０を貸与、又は譲渡する通信事業者によって管理される。ホスト装置１０は、本発明の情報処理装置に相当する。
【００１６】
監視機器２０は、レピータ３０から受信した無線信号に基づいて、当該レピータ３０を監視する。１台の監視機器２０は、１台のレピータ３０を監視する。監視機器２０は、例えば、レピータ３０とともに、ユーザの自宅に配置される。監視機器２０は、電源線Ｃ１を用いて有線により商用電源ＰＳと接続され、且つ電源線Ｃ２を用いて有線によりレピータ３０と接続される。監視機器２０は、電源線Ｃ１を介して、商用電源ＰＳからの電力の供給を受ける。監視機器２０は、電源線Ｃ２を介してレピータ３０に電力を供給する。
監視機器２０とレピータ３０との電源線Ｃ２を介した接続は、ユーザが容易に取り外すことができない方法の接続であることが望ましい。その理由は、監視機器２０が、監視するレピータ３０からの無線信号を受信する位置に配置されることを担保するためである。
【００１７】
レピータ３０は、基地局ＢＳから無線信号を受信し、受信した無線信号を増幅して、発信する。レピータ３０は、更に、無線通信端末５０から無線信号を受信し、受信した無線信号を増幅して基地局ＢＳへ送信する。即ち、レピータ３０は、基地局ＢＳと無線通信端末５０との間で行われる通信を中継する中継機器に相当する。レピータ３０は、電源線Ｃ２を介して、監視機器２０から電力の供給を受ける。無線通信端末５０は、基地局ＢＳを介して無線通信を行う通信端末である。無線通信端末５０は、例えばスマートフォンであるが、その他の通信端末であってもよい。
【００１８】
コンピュータ装置４０は、レピータ３０の保守を担当する担当者によって使用される。コンピュータ装置４０は、例えばパーソナル・コンピュータであるが、スマートフォンやタブレット端末等のコンピュータ装置であってもよい。
【００１９】
ホスト装置１０、複数台の監視機器２０、複数台のレピータ３０、コンピュータ装置４０、及び無線通信端末５０の各々は、通信回線ＮＷを介して通信を行う。通信回線ＮＷは、例えば、無線通信網やインターネットを含むが、回線の種類は特に問わない。
【００２０】
図２は、レピータ保守システム１の各装置の構成を示すブロック図である。
ホスト装置１０は、通信部１１と、制御部１２と、記憶部１３とを備える。通信部１１は、通信回線ＮＷと接続して通信する。通信部１１は、例えばモデムを含む。制御部１２は、ホスト装置１０の各部を制御する。制御部１２は、例えばプロセッサ、及びメモリを含む。プロセッサは、メモリにプログラムを読み出して実行する。記憶部１３は、データを記憶する。記憶部１３は、例えばハードディスク装置を含む。
【００２１】
制御部１２は、コマンド生成部１２１と、取得部１２２と、処理部１２３とを含む。コマンド生成部１２１は、複数の監視機器２０の各々に対して処理の実行を指示するコマンドを生成する。コマンド生成部１２１は、生成したコマンドを、通信部１１を介して監視機器２０へ送信する。取得部１２２は、通信部１１により監視機器２０から受信されたデータを取得する。処理部１２３は、取得部１２２により取得されたデータに基づいて、レピータ３０の能力に応じた処理を行う。この処理は、本実施形態では、レピータ３０に異常があると判定した場合に、その旨をコンピュータ装置４０に通知する処理である。
【００２２】
監視機器２０は、アンテナ２１と、通信部２２と、制御部２３と、電源管理部２４とを備える。アンテナ２１は、レピータ３０が発信した無線信号を受信するためのアンテナである。アンテナ２１は、送信用のアンテナと、受信用のアンテナとが分離していてもよい。通信部２２は、アンテナ２１を用いて、通信回線ＮＷ経由の通信を行う。通信部２２、レピータ３０からの無線信号を受信する受信部に相当する。通信部２２は、例えば無線通信を行うための通信回路を含む。制御部２３は、監視機器２０の各部を制御する。制御部２３は、例えばプロセッサ、及びメモリを含む。プロセッサは、メモリにプログラムを読み出して実行する。
【００２３】
電源管理部２４は、商用電源ＰＳから供給される電力の管理を行う。電源管理部２４は、監視機器２０内の電力の供給、及びレピータ３０への電力の供給を管理する。電源管理部２４は、供給部２４１と、切替部２４２とを含む。供給部２４１は、商用電源ＰＳから供給された電力を、レピータ３０に供給する。供給部２４１は、例えば保護回路やスイッチ回路を含む電源回路で構成され、スイッチ回路がオンのときにはレピータ３０に電力を供給し、オフのときにはレピータ３０に電力を供給しない。切替部２４２は、供給部２４１を制御して、レピータ３０の状態を切り替える。具体的には、切替部２４２は、レピータ３０を、当該レピータ３０に通電する通電状態と、レピータ３０への通電を遮断する非通電状態とに相互に切り替える。レピータ３０は、通電状態の場合は増幅した無線信号を発信するが、非通電状態の場合はその発信を停止する。即ち、通電状態は本発明の第１状態に相当し、非通電状態は本発明の第２状態に相当する。切替部２４２は、例えばＣＰＵ及びメモリを含むプロセッサで構成され、供給部２４１のスイッチ回路のオンとオフを相互に切り替える。
なお、切替部２４２に相当する機能を、電源管理部２４に代えて制御部２３が有してもよい。
【００２４】
制御部２３は、測定部２３１と、出力部２３２とを含む。測定部２３１は、コマンド生成部１２１が生成したコマンドに従って、無線信号のレベルを測定する。以下の説明で、単に「レベル」という場合は、特に断りのない限り、受信レベル、及び品質レベルの総称である。受信レベルは、受信した無線信号の強度の指標値で、例えば受信電界強度である。品質レベルは、受信した無線信号の品質の指標値で、例えば信号雑音比（ＳＮＲ；signal-noise ratio）である。出力部２３２は、測定部２３１により測定されたレベルに応じたデータを出力する。出力部２３２は、本実施形態では、測定部２３１が測定したレベルを、通信部２２、及びアンテナ２１を介して、ホスト装置１０へ送信する。
【００２５】
＜動作＞
図３、及び図４は、レピータ保守システム１で実行される処理を示すシーケンス図である。レピータ保守システム１では、複数台の監視機器２０の１台ずつに対して、以下で説明する処理が行われるものとする。
監視機器２０の電源管理部２４は、予め、レピータ３０を、商用電源ＰＳからの電力を供給する通電状態とする（ステップＳ１）。この場合、レピータ３０は、基地局ＢＳからの無線信号を増幅して発信する。
【００２６】
ホスト装置１０において、コマンド生成部１２１は、レピータ３０を監視する監視タイミングかどうかを判定する（ステップＳ２）。監視タイミングは、どのように決められてもよいが、例えば保守が行われる定期のタイミングである。ステップＳ２で「ＮＯ」と判定された場合、該当の監視機器２０に対する処理は終了する。
【００２７】
ステップＳ２で「ＹＥＳ」と判定した場合、コマンド生成部１２１は、第１コマンドを生成する（ステップＳ３）。第１コマンドは、レピータ３０が通電状態のときの無線信号のレベルの測定を指示するコマンドである。コマンド生成部１２１は、第１コマンドを示す無線信号を、通信部１１を介して監視機器２０へ送信する（ステップＳ４）。
【００２８】
監視機器２０において、通信部２２は、第１コマンドを示す無線信号を、アンテナ２１を介して受信する。測定部２３１は、第１コマンドに従って、無線信号の受信レベルＲＬ１、及び品質レベルＱＬ１を測定する（ステップＳ５，Ｓ６）。通電状態の場合、測定部２３１が測定するレベル（本発明の第１レベルに相当する。）は、レピータ３０によって増幅された無線信号と、基地局ＢＳから直接届いた無線信号とを受信したときのレベルを示す。
【００２９】
出力部２３２は、受信レベルＲＬ１、及び品質レベルＱＬ１、更に、機器ＩＤ、及び基地局ＩＤを、通信部２２、及びアンテナ２１を介して、ホスト装置１０へ送信する（ステップＳ７）。機器ＩＤは、監視機器２０を一意に識別する識別子である。基地局ＩＤは、監視機器２０が接続した基地局ＢＳを一意に識別する識別子である。
【００３０】
ホスト装置１０において、出力部２３２により送信されたデータが通信部１１により受信されると、取得部１２２はこのデータを取得する（ステップＳ８）。次に、コマンド生成部１２１は、受信レベルＲＬ１、又は品質レベルＱＬ１が第２閾値以下であるかどうかを判定する（ステップＳ９）。受信レベルに対する第２閾値、及び品質レベルに対する第２閾値は、予め決められた値である。受信レベルＲＬ１が第２閾値以下である場合、レピータ３０が発信した無線信号の強度が低く、レピータ３０に異常が生じている可能性がある。品質レベルＱＬ１が第２閾値以下である場合、レピータ３０が発信した無線信号の品質が良くないため、レピータ３０に異常が生じている可能性がある。このように、第１コマンドに従うレベルの測定は、異常が生じている可能性のあるレピータ３０を抽出する目的で行われる。
【００３１】
ステップＳ９で「ＮＯ」と判定された場合、該当の監視機器２０に対する処理を終了する。レピータ３０に異常が生じている可能性が低いからである。
一方、ステップＳ９で「ＹＥＳ」と判定した場合、コマンド生成部１２１は、第２コマンドを生成する（ステップＳ１０）。第２コマンドは、レピータ３０の能力の測定を指示するコマンドである。第２コマンドは、レピータ３０を通電状態、又は非通電状態のいずれかとする指示と、各状態のときの無線信号のレベルを測定する指示とを含む。コマンド生成部１２１は、第２コマンドを示す無線信号を、通信部１１を介して監視機器２０へ送信する（ステップＳ１１）。
【００３２】
監視機器２０において、通信部２２は、アンテナ２１を介して第２コマンドを示す無線信号を受信する。測定部２３１は、第２コマンドに従って、無線信号の受信レベルＲＬ２、及び品質レベルＱＬ２を測定する（ステップＳ１２，Ｓ１３）。受信レベルＲＬ２、及び品質レベルＱＬ２は、通電状態のときに受信された無線信号のレベルである。
【００３３】
次に、測定部２３１は、電源管理部２４を制御して、レピータ３０を非通電状態に切り替える（ステップＳ１４）。これにより、レピータ３０は、無線信号の発信を停止させる。
【００３４】
次に、測定部２３１は、無線信号の受信レベルＲＬ３、及び品質レベルＱＬ３を測定する（ステップＳ１５，Ｓ１６）。受信レベルＲＬ３、及び品質レベルＱＬ３は、非通電状態のときに受信された無線信号のレベルである。非通電状態の場合、測定部２３１が測定するレベル（本発明の第２レベルに相当する。）は、基地局ＢＳから直接届いた無線信号のレベルである。このレベルは、レピータ３０の能力の影響を受けない。
なお、測定部２３１は、ステップＳ１６の処理の後、電源管理部２４を制御して、レピータ３０を通電状態に切り替えてもよい。これにより、レピータ３０は、基地局ＢＳからの無線信号を増幅し発信する動作を再開する。
【００３５】
出力部２３２は、受信レベルＲＬ２、品質レベルＱＬ２、受信レベルＲＬ３、及び品質レベルＱＬ３、更に、機器ＩＤ、及び基地局ＩＤを、通信部２２、及びアンテナ２１を介して、ホスト装置１０へ送信する（ステップＳ１７）。
【００３６】
ホスト装置１０において、出力部２３２により送信されたデータが通信部１１により受信されると、取得部１２２はこのデータを取得する（ステップＳ１８）。次に、処理部１２３は、受信レベルＲＬ２と、受信レベルＲＬ３との差であるレベル差ΔＲ２３を計算する（ステップＳ１９）。次に、処理部１２３は、品質レベルＱＬ２と、品質レベルＱＬ３との差であるレベル差ΔＱ２３を計算する（ステップＳ２０）。そして、処理部１２３は、レベル差ΔＲ２３、又はレベル差ΔＱ２３が第１閾値以下かどうかを判定する（ステップＳ２１）。各レベル差に対する第１閾値は、予め決められた値である。
【００３７】
図５は、ホスト装置１０における異常判定を説明する図である。
受信レベルＲＬ３は、実質的に、レピータ３０が存在しない場合の無線信号の受信レベルを示す。これに対し、受信レベルＲＬ２が、受信レベルＲＬ３に対して十分に高い場合、レピータ３０によって受信レベルが引き上げられたということができる。よって、図５の左側の図に示すように、レベル差ΔＲ２３が第１閾値ＴＨ１を超えている場合、レピータ３０の能力が高く、レピータ３０に異常はないと推定することができる。一方、図５の右側の図に示すように、レベル差ΔＲ２３が第１閾値ＴＨ１以下である場合、レピータ３０によって引き上げられるべき受信レベルが低いことを示す。この場合、レピータ３０の能力が十分に発揮されておらず、レピータ３０に異常が生じている可能性がある。
【００３８】
品質レベルの観点からも同様のことがいえる。即ち、品質レベルＱＬ２が、品質レベルＱＬ３に対して十分に高い場合、レピータ３０によって品質レベルが引き上げられ、電波の質が改善したということができる。よって、図５の左側の図に示すように、レベル差ΔＱ２３が第１閾値ＴＨ２を超えている場合、レピータ３０の能力が高く、レピータ３０に異常はないと推定することができる。これに対し、図５の右側の図に示すように、レベル差ΔＱ２３が第１閾値ＴＨ２以下である場合、レピータ３０によって改善されるべき品質レベルが小さいことを示す。この場合、レピータ３０の能力が十分に発揮されておらず、レピータ３０に異常が生じている可能性がある。
【００３９】
以上の理由により、ステップＳ２１で「ＹＥＳ」と判定した場合には、処理部１２３は、通知処理を行う（ステップＳ２２）。通知処理は、レピータ３０に異常がある旨をコンピュータ装置４０に通知する処理である。通知処理では、処理部１２３は、機器ＩＤが示すレピータ３０に異常があり、且つそのレピータ３０が、基地局ＩＤが示す基地局ＢＳの配下にある旨を、コンピュータ装置４０に通知する。コンピュータ装置４０を使用する担当者は、通知された内容を見て、レピータ３０の配置された場所を訪問し、その保守を行う。
【００４０】
これに対し、処理部１２３がステップＳ２１で「ＮＯ」と判定した場合には、レピータ３０に異常がないとして、該当の監視機器２０に対する処理は終了する。
【００４１】
以上説明した第１実施形態のレピータ保守システム１において、ホスト装置１０は、監視機器２０、及びレピータ３０を遠隔操作によって制御し、複数台のレピータ３０の各々の能力を把握するためのデータを収集する。そして、ホスト装置１０は、収集したデータから把握されるレピータ３０の能力に基づいて、レピータ３０の異常の有無を判定する。よって、保守を担当する担当者が監視機器２０を実際に点検しなくとも、その異常の有無を判定できるので、保守に係る人為的な作業負担が減る。更に、レピータ保守システム１では、第１コマンドによる測定と、第２コマンドによる測定との２段階に分けて、無線信号のレベルの測定が行われる。これにより、全ての監視機器２０に第２コマンドによる測定が行われる場合に比べて、通信回線ＮＷの負荷の増大や、異常判定に係る処理の増大が抑制される。また、監視機器２０は、レピータ３０への電力の供給のオンとオフを制御することにより、レピータ３０による無線信号の発信の有無を切り替える。よって、かかる切り替えのための制御が、簡便である。また、レピータ３０の能力を把握するために特有の機能を、当該レピータ３０が有しなくてよい。よって、レピータ３０については、既製品のレピータを用いることも可能である。
【００４２】
［第２実施形態］
本発明の第２実施形態は、本発明の情報処理システムを、受信環境管理システムに適用したものである。受信環境管理システムでは、レピータの能力を、基地局からの無線信号の受信環境の良否の判定に用いる点で、上述した第１実施形態と相違する。無線信号の受信環境は、当該無線信号のレベルによって把握される。以下の説明では、上述した第１実施形態の要素と同じ要素については同じ符号を用いて表し、説明を適宜省略する。また。上述した第１実施形態の要素と対応する要素については、符号の末尾に「Ａ」を付して表す。
【００４３】
図６は、本実施形態に係る受信環境管理システムの概要を説明する図である。
図６に示す基地局ＢＳ１，ＢＳ２，ＢＳ３が存在する地域において、基地局ＢＳ１によりセルＴ１が形成され、基地局ＢＳ２によりセルＴ２が形成され、基地局ＢＳ３によりセルＴ３が形成されているとする。この場合、基地局ＢＳ１，ＢＳ２，ＢＳ３のいずれかに近い地点では、無線信号の強度や品質が高く、受信環境は良好であることが通常である。一方、基地局ＢＳ１，ＢＳ２，ＢＳ３のいずれからも距離が離れている領域ＡＲ内では、その無線信号の強度や品質が低く、その受信環境が不良になることがある。領域ＡＲ内では、図６に示す位置Ｐのように、レピータ３０が多く存在すると考えられる。更に、領域ＡＲ内では、レピータ３０を使用してもなお、無線信号の受信環境が十分に改善しない可能性がある。その理由は、基地局ＢＳ１，ＢＳ２，ＢＳ３の全てからの無線信号の強度がかなり低いとすると、レピータ３０が受信した無線信号を増幅したとしても、十分な強度に達しないし、また、品質が十分に向上しないからである。このような場合、レピータ３０を用いて受信環境を改善することは難しく、基地局のパラメータ（例えば放射角）の設定し直しや、基地局の新設等の対策が必要となる。
【００４４】
そこで、本実施形態の受信環境管理システムでは、能力が十分に発揮されていないレピータ３０が存在する地点に基づいて、無線信号の受信環境が不良な位置を特定する。
【００４５】
＜構成＞
図７は、受信環境管理システム１Ａの各装置の構成を示すブロック図である。ホスト装置１０Ａは、通信部１１と、制御部１２と、記憶部１３とを備える。制御部１２は、コマンド生成部１２１Ａと、取得部１２２Ａと、処理部１２３Ａとを含む。コマンド生成部１２１Ａは、複数の監視機器２０Ａの各々に対して処理の実行を指示するコマンドを生成する。コマンド生成部１２１Ａは、生成したコマンドを、通信部１１を介して監視機器２０Ａへ送信する。取得部１２２Ａは、このコマンドに応じて監視機器２０Ａから送られてきたデータを取得する。処理部１２３Ａは、取得部１２２Ａにより取得されたデータに基づいて、レピータ３０の能力に関する処理を行う。この処理は、本実施形態では、無線信号の受信環境が良好でない領域が存在する場合に、その旨をコンピュータ装置４０に通知する処理である。
【００４６】
監視機器２０Ａは、アンテナ２１と、通信部２２と、制御部２３と、電源管理部２４と、測位部２５とを備える。測位部２５は、監視機器２０Ａの位置を測定する測位処理を行う。測位処理は、監視機器２０Ａの位置を示す位置情報を生成する処理である。測位処理は、例えばＧＰＳ（Global Positioning System）方式が採用されるが、基地局測位等の他の方式が採用されてもよい。
なお、監視機器２０Ａとレピータ３０とが電源線Ｃ２を介して接続されることから、監視機器２０Ａの位置をレピータ３０の位置と同じとみなしてよい。
【００４７】
＜動作＞
図８、及び図９は、受信環境管理システム１Ａで実行される処理を示すシーケンス図である。
監視機器２０Ａの電源管理部２４は、予め、レピータ３０を、商用電源ＰＳからの電力をレピータ３０に供給する通電状態とする（ステップＳ３１）。この場合、レピータ３０は、基地局ＢＳから受信した無線信号を増幅して発信する。
【００４８】
ホスト装置１０Ａにおいて、コマンド生成部１２１Ａは、レピータ３０を監視する監視タイミングかどうかを判定する（ステップＳ３２）。監視タイミングは、どのように決められてもよい。ステップＳ３２で「ＮＯ」と判定された場合、該当の監視機器２０Ａに対する処理は終了する。
【００４９】
ステップＳ３２で「ＹＥＳ」と判定した場合、コマンド生成部１２１Ａは、第３コマンドを生成する（ステップＳ３３）。第３コマンドは、レピータ３０の能力の測定を指示するコマンドである。第３コマンドは、レピータ３０を通電状態、又は非通電状態のいずれかとする指示と、各状態のときの無線信号のレベルを測定する指示とを含む。コマンド生成部１２１Ａは、第３コマンドを示す無線信号を、通信部１１を介して監視機器２０Ａへ送信する（ステップＳ３４）。
【００５０】
監視機器２０Ａにおいて、通信部２２は、アンテナ２１を介して第３コマンドを示す無線信号を受信する。測定部２３１は、第３コマンドに従って、無線信号の受信レベルＲＬ４、及び品質レベルＱＬ４を測定する（ステップＳ３５，Ｓ３６）。受信レベルＲＬ４、及び品質レベルＱＬ４は、通電状態のときに受信された無線信号のレベルである。通電状態の場合、測定部２３１が測定するレベル（本発明の第１レベルに相当する。）は、レピータ３０によって増幅された無線信号と、基地局ＢＳから直接届いた無線信号とを受信したときのレベルを示す。
【００５１】
次に、測定部２３１は、電源管理部２４を制御して、レピータ３０を非通電状態に切り替える（ステップＳ３７）。これにより、レピータ３０は、無線信号の発信を停止させる。
【００５２】
次に、測定部２３１は、無線信号の受信レベルＲＬ５、及び品質レベルＱＬ５を測定する（ステップＳ３８，Ｓ３９）。受信レベルＲＬ５、及び品質レベルＱＬ５は、レピータ３０が非通電状態のときに受信された無線信号のレベルである。非通電状態の場合、測定部２３１が測定するレベル（本発明の第２レベルに相当する。）は、基地局ＢＳから直接届いた無線信号のレベルである。このレベルは、レピータ３０の能力の影響を受けない。
【００５３】
次に、測位部２５は、測位処理を行う（ステップＳ４０）。測位部２５は、監視機器２０Ａの位置を示す位置情報を生成する。そして、出力部２３２は、受信レベルＲＬ４、品質レベルＱＬ４、受信レベルＲＬ５、及び品質レベルＱＬ５、更に、機器ＩＤ、及び位置情報を、通信部２２、及びアンテナ２１を介して、ホスト装置１０Ａへ送信する（ステップＳ４１）。
なお、測定部２３１は、ステップＳ４０の処理の後、電源管理部２４を制御して、レピータ３０を通電状態に切り替えてもよい。これにより、レピータ３０は、基地局ＢＳからの無線信号を増幅し発信する動作を再開する。
【００５４】
ホスト装置１０Ａにおいて、出力部２３２が送信したデータが通信部１１により受信されると、取得部１２２Ａはこのデータを取得する（ステップＳ４２）。次に、処理部１２３Ａは、受信レベルＲＬ５、又は品質レベルＱＬ５が第３閾値以下かどうかを判定する（ステップＳ４３）。各レベルに対する第３閾値は、予め決められた値である。ステップＳ４３の処理は、レピータ３０が存在しない状態での基地局ＢＳからの無線信号のレベルを把握するためである。ステップＳ４３で「ＮＯ」と判定された場合、該当の監視機器２０Ａに対する処理は終了する。基地局ＢＳからの無線信号のレベルが十分に高く、レピータ３０が受信不良エリア内に存在するとはいえないからである。
【００５５】
次に、処理部１２３Ａは、受信レベルＲＬ４と、受信レベルＲＬ５との差であるレベル差ΔＲ４５を計算する（ステップＳ４４）。次に、処理部１２３Ａは、品質レベルＱＬ４と、品質レベルＱＬ５との差であるレベル差ΔＱ４５を計算する（ステップＳ４５）。そして、処理部１２３Ａは、レベル差ΔＲ４５、又はレベル差ΔＱ４５が第４閾値以下かどうかを判定する（ステップＳ４６）。各レベル差に対する第４閾値は、予め決められた値である。第４閾値は、第３閾値よりも大きい。受信レベルの差、又は品質レベルの差が第４閾値以下である場合に、レピータ３０の能力が低いとする理由は、上述した第１実施形態と同じである。
【００５６】
処理部１２３Ａは、レベル差ΔＲ４５、又はレベル差ΔＱ４５が第４閾値以下と判定した場合（ステップＳ４６；ＹＥＳ）、位置情報が示す位置を、無線信号の受信環境が良好でない受信不良地点と特定する（ステップＳ４７）。処理部１２３Ａは、この受信不良地点に関する情報を、記憶部１３に記憶させる。
【００５７】
次に、処理部１２３Ａは、受信不良エリアを示すマップを生成するかどうかを判定する（ステップＳ４８）。マップを生成する条件は特に問わないが、例えば、収集した受信不良地点の数が所定数に達したことを条件とする。受信不良エリアを把握するためには、複数の受信不良地点の分布を参酌した方が、より精度のよい受信不良エリアの情報を得られると考えられるからである。
ステップＳ４８で「ＹＥＳ」と判定すると、処理部１２３Ａは、受信不良エリアを示すマップを生成する（ステップＳ４９）。
【００５８】
図１０は、は、受信不良エリアを示すマップの一例を示す図である。図１０に示すマップＭでは、地図を表す画像に、受信不良エリアの位置を示す表示要素Ｅが示されている。表示要素Ｅは、複数の受信不良地点Ｐが分布する領域を示す。受信不良地点に基づく受信不良エリアの特定方法は特に問わないが、例えば、公知のクラスタリングが用いられる。
【００５９】
処理部１２３Ａは、受信不良エリアを示すマップを、通信部１１を介して、コンピュータ装置４０へ送信する（ステップＳ５０）。コンピュータ装置４０を使用する担当者は、受信環境が不良なエリアの情報を、基地局のパラメータの設定や、基地局の設置計画の策定に役立てることができる。
【００６０】
なお、処理部１２３Ａは、レベル差ΔＲ４５、及びレベル差ΔＱ４５が第４閾値を超えていると判定した場合（ステップＳ４６；ＮＯ）、該当の監視機器２０Ａに対する処理を終了させる。
【００６１】
以上説明した第２実施形態の受信環境管理システム１Ａにおいて、ホスト装置１０Ａは、監視機器２０Ａ、及びレピータ３０の動作を遠隔操作によって制御して、受信不良エリアの把握に必要なデータを収集する。そして、ホスト装置１０Ａは、収集したデータから特定されるレピータ３０の能力に基づいて、受信不良エリアを特定する。これにより、担当者が基地局からの無線信号の受信環境を実際に調査しなくとも、受信不良エリアを把握することができる。よって、この把握に係る人為的な作業負担が減る。
【００６２】
［変形例］
本発明は、上述した実施形態と異なる形態で実施してもよい。また、以下に示す変形例は、各々を組み合わせてもよい。
（変形例１）
上述した第２実施形態のステップＳ４４〜Ｓ４６のレピータ３０の能力を判定する処理は、以下で説明する処理に置き換えられてもよい。処理部１２３Ａは、受信レベルＲＬ５が第４閾値以下である場合において、受信レベルＲＬ４が第５閾値を超えているときは、受信環境が良好であり、受信レベルＲＬ４が第５閾値以下であるときは、受信環境が不良であると判定してもよい。また、処理部１２３Ａは、品質レベルＱＬ５が第４閾値以下である場合において、品質レベルＱＬ４が第５閾値を超えているときは、受信環境が良好であり、品質レベルＱＬ４が第５閾値以下であるときは、受信環境が不良であると判定してもよい。
【００６３】
図１１は、ホスト装置１０Ａにおける異常判定を説明する図である。
受信レベルＲＬ５が、第４閾値ＴＨ３以下である場合、無線信号の受信レベルは受信環境が不良であることを示す。この場合において、図１１の左側の図に示すように、受信レベルＲＬ４が、第５閾値ＴＨ４（ただし、ＴＨ４＞ＴＨ３）を超えている場合、レピータ３０の能力によって受信レベルが十分に引き上げられたということができる。この場合、レピータ３０の能力が十分に発揮されている。これに対し、図１１の右側の図に示すように、受信レベルＲＬ４が第５閾値ＴＨ４以下である場合、レピータ３０によって引き上げられるべき受信レベルが低いことを示す。この場合、レピータ３０の能力が十分に発揮されておらず、無線信号の受信環境が不良ということができる。
【００６４】
品質レベルの観点からも同様のことがいえる。即ち、品質レベルＱＬ５が、第４閾値ＴＨ５以下である場合、無線信号の受信レベルがレピータ３０を必要とするような、無線信号の受信環境が不良であることを示す。この場合において、図１１の左側の図に示すように、品質レベルＱＬ４が、第５閾値ＴＨ６（ただし、ＴＨ６＞ＴＨ５）を超えている場合、レピータ３０の能力によって、品質レベルが引き上げられたということができる。この場合、レピータ３０の能力が十分に発揮されている。これに対し、図１１の右側の図に示すように、品質レベルＱＬ４が第５閾値ＴＨ６以下である場合、レピータ３０によって引き上げられるべき受信レベルが低いことを示す。この場合、レピータ３０の能力が十分に発揮されておらず、無線信号の受信環境が不良ということができる。
【００６５】
（変形例２）
上述した第１実施形態では、監視機器２０は、第２コマンドに従って、受信レベルＲＬ２、及び品質レベルＱＬ２を測定していた。しかしながら、受信レベルＲＬ２、及び品質レベルＱＬ２は、受信レベルＲＬ１、及び品質レベルＱＬ１と同じく、レピータ３０が通電状態のときに測定されたレベルを示す。また、第１コマンドに従う測定と、第２コマンドに従う測定とが、さほど間を空けないで行われる場合がある。そこで、監視機器２０は、第２コマンドに従って、受信レベルＲＬ２、及び品質レベルＱＬ２を測定しないようにしてもよい。この場合、監視機器２０は、受信レベルＲＬ２、及び品質レベルＱＬ２に代えて、受信レベルＲＬ１、及び品質レベルＱＬ１を用いて、レベル差の計算や、レピータ３０の異常の有無の判定をすればよい。
【００６６】
（変形例３）
上述した実施形態で説明した監視機器２０，２０Ａが有していた機能の一部を、ホスト装置１０又は１０Ａが有してもよい。上述した実施形態で説明したホスト装置１０又は１０Ａが有していた機能の一部を、監視機器２０，２０Ａが有してもよい。例えば、ステップＳ１８，Ｓ１９，Ｓ４４，Ｓ４５のレベル差の計算を、監視機器２０，２０Ａが行ってもよい。この場合、監視機器２０，２０Ａは、計算したレベル差を、ホスト装置１０，１０Ａに出力すればよい。更に、監視機器２０の出力部２３２は、計算したレベル差に基づいて、レピータ３０の異常の有無を判定してその判定結果をホスト装置１０Ａへ出力してもよい。監視機器２０Ａの出力部２３２は、計算したレベル差に基づいて、受信環境がどうかを判定してその判定結果をホスト装置１０Ａへ出力してもよいし、受信不良地点の情報をホスト装置１０Ａへ出力してもよい。
【００６７】
要するに、本発明の情報処理システムは、基地局から受信した無線信号を増幅して発信する中継機器から、当該中継機器が発信した無線信号を受信する監視機器と、前記中継機器を、前記増幅した無線信号を発信する第１状態と、前記増幅した無線信号の発信を停止する第２状態とに相互に切り替える切替部と、前記監視機器が受信した無線信号のレベルを測定する測定部であって、前記第１状態のときの第１レベル、及び前記第２状態のときの第２レベルを測定する測定部と、測定された前記第１レベルと、前記第２レベルとに基づいて、前記中継機器の無線信号を発信する能力に応じた処理を行う処理部とを備える。
【００６８】
（変形例４）
上述した実施形態では、レピータ３０による無線信号の発信の有無が、レピータ３０の通電状態と非通電状態との切り替えにより、変更されていた。これに代えて、監視機器２０，２０Ａは、レピータ３０を通電状態としたまま、レピータ３０における無線信号の発信の有無を制御してもよい。例えば、切替部として機能する制御部２３は、レピータ３０にコマンドを送信することにより、無線信号を発信する第１状態と、その発信を停止させる第２状態とを切り替えてもよい。また、ホスト装置１０，１０Ａが、レピータ３０の無線信号の発信の有無を制御してもよい。この場合、切替部として機能する制御部１２は、レピータ３０にコマンドを送信することにより、無線信号を発信する第１状態と、その発信を停止させる第２状態とを切り替えてもよい。
【００６９】
更に、監視機器２０，２０Ａは、レピータ３０が発信した無線信号を受信する位置に設けられている限り、必ずしも、レピータ３０と電源線を介して接続されていなくてもよい。例えば、監視機器２０，２０Ａは、レピータ３０と近距離無線通信（例えば、Ｂｌｕｅｔｏｏｔｈ（登録商標））により無線で接続されていることをもって、監視機器２０が、レピータ３０が発信した無線信号を受信する位置に設けられることが担保されてもよい。この場合において、監視機器２０は、レピータ３０から受信する信号の強度に基づいて、所定距離以内にレピータ３０が存在するか否かを判定してもよい。
【００７０】
（変形例５）
上述した実施形態で説明した構成、及び動作の一部が省略されてもよい。例えば、レピータ保守システム１は、受信レベル、及び品質レベルのうちの一方に基づいて、レピータ３０の異常の有無を判定してもよい。受信環境管理システム１Ａは、受信レベル、及び品質レベルのうちの一方に基づいて、受信不良地点を判定してもよい。また、レピータ保守システム１において、第１コマンドに係る処理を行わなくてもよい。この場合、ホスト装置１０は、第１コマンドを送信せずに、第２コマンドを監視機器２０へ送信すればよい。
【００７１】
（変形例６）
上述した実施形態のホスト装置１０，１０Ａや、監視機器２０，２０Ａが実現する機能は、複数のプログラムの組み合わせによって実現され、又は、複数のハードウェア資源の連係によって実現され得る。ホスト装置１０，１０Ａや、監視機器２０，２０Ａの機能がプログラムを用いて実現される場合、このプログラムは、磁気記録媒体（磁気テープ、磁気ディスク（ＨＤＤ（Hard Disk Drive）、ＦＤ（Flexible Disk））等）、光記録媒体（光ディスク等）、光磁気記録媒体、半導体メモリ等のコンピュータ読み取り可能な記録媒体に記憶した状態で提供されてもよいし、ネットワークを介して配信されてもよい。また、本発明は、情報処理方法として実現することも可能である。
【符号の説明】
【００７２】
１…レピータ保守システム、１Ａ…受信環境管理システム、１０，１０Ａ…ホスト装置、１１…通信部、１２…制御部、１２１，１２１Ａ…コマンド生成部、１２２，１２２Ａ…取得部、１２３，１２３Ａ…処理部、２０，２０Ａ…監視機器、２１…アンテナ、２２…通信部、２３…制御部、２３１…測定部、２３２…出力部、２４…電源管理部、２４１…供給部、２４２…切替部、２５…測位部、３０…レピータ、４０…コンピュータ装置、５０…無線通信端末。
【図１】
2018007009.tif 000003
【図２】
2018007009.tif 000004
【図３】
2018007009.tif 000005
【図４】
2018007009.tif 000006
【図５】
2018007009.tif 000007
【図６】
2018007009.tif 000008
【図７】
2018007009.tif 000009
【図８】
2018007009.tif 000010
【図９】
2018007009.tif 000011
【図１０】
2018007009.tif 000012
【図１１】
2018007009.tif 000013
【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
基地局から受信した無線信号を増幅して発信する中継機器から、当該中継機器が発信した無線信号を受信する監視機器と、
前記中継機器を、前記増幅した無線信号を発信する第１状態と、前記増幅した無線信号の発信を停止する第２状態とに相互に切り替える切替部と、
前記監視機器が受信した無線信号のレベルを測定する測定部であって、前記第１状態のときの第１レベル、及び前記第２状態のときの第２レベルを測定する測定部と、
測定された前記第１レベルと、前記第２レベルとに基づいて、前記中継機器の無線信号を発信する能力に応じた処理を行う処理部と
を備え、
前記処理部は、
前記第１レベルと前記第２レベルとの差が第１閾値以下である場合には、前記中継機器に異常がある旨を通知する
ことを特徴とする情報処理システム。
【請求項２】
基地局から受信した無線信号を増幅して発信する中継機器から、当該中継機器が発信した無線信号を受信する監視機器と、
前記中継機器を、前記増幅した無線信号を発信する第１状態と、前記増幅した無線信号の発信を停止する第２状態とに相互に切り替える切替部と、
前記監視機器が受信した無線信号のレベルを測定する測定部であって、前記第１状態のときの第１レベル、及び前記第２状態のときの第２レベルを測定する測定部と、
測定された前記第１レベルと、前記第２レベルとに基づいて、前記中継機器の無線信号を発信する能力に応じた処理を行う処理部と、
複数の前記監視機器の各々に対して、前記第１レベルの測定を指示する第１コマンドを生成し、更に、前記第１レベルが第２閾値以下であった前記監視機器に対して、前記第２レベルの測定を指示する第２コマンドを生成するコマンド生成部と
を備え、
前記測定部は、
前記第１コマンドに応じて前記第１レベルを測定し、前記第２コマンドに応じて少なくとも前記第２レベルを測定する
ことを特徴とする情報処理システム。
【請求項３】
基地局から受信した無線信号を増幅して発信する中継機器から、当該中継機器が発信した無線信号を受信する監視機器と、
前記中継機器を、前記増幅した無線信号を発信する第１状態と、前記増幅した無線信号の発信を停止する第２状態とに相互に切り替える切替部と、
前記監視機器が受信した無線信号のレベルを測定する測定部であって、前記第１状態のときの第１レベル、及び前記第２状態のときの第２レベルを測定する測定部と、
測定された前記第１レベルと、前記第２レベルとに基づいて、前記中継機器の無線信号を発信する能力に応じた処理を行う処理部と
を備え、
前記処理部は、
前記第２レベルが第３閾値以下である場合に、少なくとも前記第１レベルを用いて、前記基地局からの無線信号の受信環境を判定する
ことを特徴とする情報処理システム。
【請求項４】
前記処理部は、
複数の前記中継機器の各々の位置と、複数の前記中継機器の各々について測定された前記第１レベル、及び前記第２レベルとに基づいて、前記受信環境が良好又は不良な位置を判定する
ことを特徴とする請求項３に記載の情報処理システム。
【請求項５】
前記処理部は、
前記第１レベルと前記第２レベルとの差が第４閾値以下である場合に、前記受信環境が不良と判定する
ことを特徴とする請求項３又は請求項４に記載の情報処理システム。
【請求項６】
前記処理部は、
前記第１レベルが第５閾値以下である場合に、前記受信環境が不良と判定する
ことを特徴とする請求項３又は請求項４に記載の情報処理システム。
【請求項７】
基地局から受信した無線信号を増幅して発信する中継機器に電力を供給する供給部と、
前記中継機器を、前記増幅した無線信号を発信する第１状態と、前記増幅した無線信号の発信を停止する第２状態とに相互に切り替える切替部と、
前記中継機器から、当該中継機器が発信した無線信号を受信する受信部と、
前記受信部が受信した無線信号のレベルを測定する測定部であって、前記第１状態のときの第１レベル、及び前記第２状態のときの第２レベルを測定する測定部と、
測定された前記第１レベル、及び前記第２レベル、又は前記第１レベル、及び前記第２レベルに応じた前記中継機器の無線信号を発信する能力に関する情報を出力する出力部と
を備える監視機器。
【請求項８】
請求項７に記載の監視機器から、前記第１レベル、及び前記第２レベル、又は前記能力に関する情報を取得する取得部と、
取得された前記第１レベル、及び前記第２レベル、又は前記能力に関する情報に基づいて、前記能力に応じた処理を行う処理部と
を備える情報処理装置。